(57)【要約】【課題】ランプの非点灯時には光学シートの押圧力を強くでき、点灯により雰囲気温度が上昇し、光学シートが熱膨張するときには押圧力を弱くして熱膨張を押圧体の変形により吸収することができるようにする。【解決手段】表示パネル７の裏側に配置されるランプ１と、該ランプ１及び表示パネル７の間に配置される光学シート２と、ランプ１及び光学シート２を支持する箱形の支持体３と、光学シート２の周縁部を支持体３の開放縁部に押圧する押圧体４とを備え、該押圧体４の少なくとも一部を、雰囲気温度の上昇により変形し、押圧する力を弱小にすべき熱変形材で形成し、光学シート２の熱膨張による摺動を可能とした。【選択図】図１
2008058709.tif 000002
【特許請求の範囲】
【請求項１】
表示パネルの裏側に配置されるランプと該ランプ及び前記表示パネルの間に配置される光学シートとを支持する支持体、及び前記光学シートの周縁部を前記支持体に押圧する押圧体を備える光源装置において、前記押圧体の少なくとも一部は、雰囲気温度の上昇により変形し、押圧する力を弱小にすべき熱変形材で形成してあることを特徴とする光源装置。
【請求項２】
前記押圧体は、前記光学シートの周縁部を押圧する押圧部と、前記支持体に取付けられる取付部と、前記熱変形材で形成され、前記押圧部及び取付部を連結する熱変形部とを有する請求項１記載の光源装置。
【請求項３】
前記熱変形部は、雰囲気温度の上昇により収縮し、前記押圧部を前記周縁部と離隔する方向へ変位させるようになしてある請求項２記載の光源装置。
【請求項４】
表示パネルの裏側に配置されるランプと該ランプ及び前記表示パネルの間に配置される光学シートとを支持する支持体、及び前記光学シートの周縁部を前記支持体に押圧する押圧体を備える光源装置において、前記押圧体は、前記周縁部を押圧する押圧部及び前記支持体に取付けられる取付部を有し、前記支持体は、雰囲気温度の上昇により変形し、前記押圧部を前記周縁部と離隔する方向へ変位させる熱変形部を有することを特徴とする光源装置。
【請求項５】
前記熱変形部は、雰囲気温度の上昇により膨張するようになしてある請求項４記載の光源装置。
【請求項６】
表示パネルと、該表示パネルの裏側に配置された請求項１乃至５のいずれか一つに記載の光源装置とを備えることを特徴とする表示装置。
【請求項７】
前記押圧体は前記表示パネルの裏面に設けてある請求項６記載の表示装置。
【発明の詳細な説明】
【技術分野】
【０００１】
本発明は液晶表示装置等の表示装置の光源として使用される光源装置及びこれを備える表示装置に関する。
【背景技術】
【０００２】
テレビ等の表示装置は、画像を表示する表示パネルの裏側に光源装置が配置される。
【０００３】
光源装置は縦に離隔して並置される複数本のランプと、夫々のランプを収容支持する支持体と、該支持体内に収容され、ランプが発光した光を反射させる反射シートと、ランプ及び表示パネルの間に配置され、前記反射シートが反射した光を拡散する反射偏光板、プリズムシート、拡散シート、拡散板等が積層された光学シートと、該光学シートの周縁部を前記支持体に押圧して取付ける押圧体とを備える（例えば、特許文献１参照）。
【０００４】
図１３は従来の光源装置が表示装置に組込まれた構成を示す断面図である。支持体１００は直方体をなす箱部の開放側に、光学シート１０１に沿う扁平の支持面１０２ａを有するシート受部１０２が設けられており、前記支持面１０２ａに光学シート１０１の周縁部が支持されている。また、光学シート１０１の周縁部を支持体１００に押圧する押圧体１０３は光学シート１０１の周縁部と対向する押圧部１０３ａ及び該押圧部１０３ａを支持体１００の開放部外側に取付ける取付部１０３ｂとを有し、該取付部１０３ｂが支持体１００の開放部外側に螺子止めされることにより押圧部１０３ａが光学シート１０１に接触し、該光学シート１０１を支持面１０２ａに押圧している。
【０００５】
ところで、光学シート１０１は一般に合成樹脂シートにより形成されているが、光学シート１０１の支持体１００への押圧力が弱い場合、輸送時の振動により光学シート１０１がシート面に沿う方向へ摺動するため、該光学シート１０１が傷付き易くなる。因って、押圧体１０３により光学シート１０１を強く押圧し、輸送時の振動により光学シート１０１が摺動するのを規制するのが好ましい。また、ランプ点灯時、光学シート１０１を支持する支持体１００内は前記ランプが発光する光により温度が上昇し、光学シート１０１が熱膨張するため、光学シート１０１の支持体１００への押圧力が強い場合、光学シート１０１の熱膨張を吸収することができず、光学シート１０１にシワ、シミが発生し、このシワ、シミが表示パネル１０４の表示面に画像ムラとして現れることになる。因って、押圧体１０３により光学シート１０１を弱く押圧し、熱膨張したとき光学シート１０１が自由に摺動することができるようにし、熱膨張により光学シート１０１にシワ、シミが発生しないようにするのが好ましい。
【特許文献１】特開２００５−２８５７１４号公報
【発明の開示】
【発明が解決しようとする課題】
【０００６】
そこで、従来は輸送時の振動による傷付きと、ランプ点灯時の温度上昇によるシワ、シミの発生をなくするという相反する条件を満足するように、光学シートの押圧力を調整してるが、完全に両方を満足することは困難であり、改善策が要望されていた。
【０００７】
本発明は斯かる事情に鑑みてなされたものであり、主たる目的は光学シートの周縁部を支持体に押圧する押圧体の少なくとも一部を、雰囲気温度の上昇により変形し、押圧する力を弱小にすべき熱変形材で形成することにより、ランプの非点灯時には光学シートの押圧力を強くでき、点灯により光学シートが熱膨張するときには押圧力を弱くすることができる光源装置及び表示装置を提供することにある。
【０００８】
また、他の目的は押圧体を、光学シートを押圧する押圧部と、支持体に取付けられる取付部と、熱変形材で形成され、押圧部及び取付部を連結する熱変形部とを有する構成とすることにより、熱変形部を有する押圧体を備えるわりにコストを低減できる光源装置及び表示装置を提供することにある。
【０００９】
また、他の目的は熱変形部を、雰囲気温度の上昇により収縮し、押圧部を前記周縁部と離隔する方向へ変位させるように構成することにより、押圧力を設定し易い光源装置及び表示装置を提供することにある。
【００１０】
また、他の目的は押圧体を、光学シートの周縁部を押圧する押圧部及び支持体に取付けられる取付部を有する構成とし、雰囲気温度の上昇により変形し、前記押圧部を前記周縁部と離隔する方向へ変位させる熱変形部を支持体に設けることにより、既存の押圧体を用いることができ、熱変形部を有する押圧体に比べて強い押圧力に設定することができる光源装置及び表示装置を提供することにある。
【００１１】
また、他の目的は熱変形部を、雰囲気温度の上昇により膨張する構成とすることにより、熱変形材に関係なく押圧力を設定することができる光源装置及び表示装置を提供することにある。
【００１２】
また、他の目的は押圧体を表示パネルの裏面に設けることにより、押圧体を備える割に組立て作業性を向上できる光源装置及び表示装置を提供することにある。
【課題を解決するための手段】
【００１３】
本発明に係る光源装置及び表示装置は、表示パネルの裏側に配置されるランプと該ランプ及び前記表示パネルの間に配置される光学シートとを支持する支持体、及び前記光学シートの周縁部を前記支持体に押圧する押圧体を備える光源装置において、前記押圧体の少なくとも一部は、雰囲気温度の上昇により変形し、押圧する力を弱小にすべき熱変形材で形成してあることを特徴とする。
【００１４】
この発明にあっては、輸送時等、ランプの非点灯時には雰囲気温度の上昇が殆どなく、押圧体は変形していないため、設定された押圧力で光学シートを押圧することができ、光学シートがシート面に沿う方向へ摺動するのを規制することができる。また、ランプの点灯時には雰囲気温度が上昇し、熱変形材で形成してある押圧体の少なくとも一部が変形し、押圧する力が弱小になるため、熱膨張する光学シートをシート面に沿う方向へ摺動させることができる。
【００１５】
また、本発明に係る光源装置及び表示装置は、前記押圧体は、前記光学シートの周縁部を押圧する押圧部と、前記支持体に取付けられる取付部と、前記熱変形材で形成され、前記押圧部及び取付部を連結する熱変形部とを有することを特徴とする。
【００１６】
この発明にあっては、既存の押圧体の押圧部と取付部を分割し、熱変形部で連結することができるため、既存のスペースに押圧体を配置することができ、しかも、既存の支持体に押圧体を取付けることができ、熱変形部を有する押圧体を備える割りに光源装置のコスト、及び光源装置を備える表示装置のコストを低減できる。
【００１７】
また、本発明に係る光源装置及び表示装置は、前記熱変形部は、雰囲気温度の上昇により収縮し、前記押圧部を前記周縁部と離隔する方向へ変位させるようになしてあることを特徴とする。
【００１８】
この発明にあっては、熱変形部が収縮している状態で押圧力を設定することができるため、押圧力を設定し易い。
【００１９】
また、本発明に係る光源装置及び表示装置は、表示パネルの裏側に配置されるランプと該ランプ及び前記表示パネルの間に配置される光学シートとを支持する支持体、及び前記光学シートの周縁部を前記支持体に押圧する押圧体を備える光源装置において、前記押圧体は、前記周縁部を押圧する押圧部及び前記支持体に取付けられる取付部を有し、前記支持体は、雰囲気温度の上昇により変形し、前記押圧部を前記周縁部と離隔する方向へ変位させる熱変形部を有することを特徴とする。
【００２０】
この発明にあっては、既存の押圧体を用いることができるため、熱変形部を有する押圧体に比べて強い押圧力に設定することができる。
【００２１】
また、本発明に係る光源装置及び表示装置は、前記熱変形部は、雰囲気温度の上昇により膨張するようになしてあることを特徴とする。
【００２２】
この発明にあっては、雰囲気温度により押圧体が熱変形しないため、熱変形材に関係なく押圧力を設定することができ、押圧力を設定し易い。
【００２３】
また、本発明に係る表示装置は、表示パネルと、該表示パネルの裏側に配置された前記光源装置とを備え、前記押圧体は前記表示パネルの裏面に設けてあることを特徴とする。
【００２４】
この発明にあっては、表示パネルの取付作業を行うことにより押圧体を組み込むことができるため、押圧体を備える割に組立て作業性を向上できる。また、押圧体が光学シートの周縁より外方へ突出する突出量を少なくすることが可能であるため、表示装置を小形化し得る。
【発明の効果】
【００２５】
以上詳述したように本発明によれば、輸送時等、ランプの非点灯時には設定された押圧力で光学シートを押圧することができ、光学シートがシート面に沿う方向へ摺動するのを規制することができる。しかも、ランプの点灯時には押圧体が光学シートを押圧する力を弱小にすることができ、熱膨張する光学シートをシート面に沿う方向へ摺動させることができ、光学シートにシワ、シミが発生するのを防ぐことができる。
【００２６】
また、本発明によれば、既存のスペースに押圧体を配置することができ、しかも、既存の支持体に押圧体を取付けることができるため、熱変形部を有する押圧体を備えるわりに光源装置、表示装置のコストを低減できる。
【００２７】
また、本発明によれば、熱変形部が収縮している状態で押圧力を設定することができるため、押圧力を設定し易い。
【００２８】
また、本発明によれば、既存の押圧体を用いることができ、熱変形部を有する押圧体に比べて強い押圧力に設定することができる。
【００２９】
また、本発明によれば、熱変形材に関係なく押圧力を設定することができ、押圧力を設定し易い。
【００３０】
また、本発明によれば、表示パネルの取付作業を行うことにより押圧体を組み込むことができるため、押圧体を備えるわりに組立て作業性を向上でき、また、押圧体が光学シートの周縁より外方へ突出する突出量を少なくすることが可能であり、表示装置を小形化し得る。
【発明を実施するための最良の形態】
【００３１】
以下本発明をその実施の形態を示す図面に基づいて詳述する。
実施の形態１
図１は本発明に係る光源装置が表示装置に組込まれた構成を示す断面図、図２は押圧体が熱変形した状態を示す断面図、図３は熱変形した押圧体部分の拡大図である。
【００３２】
図示した光源装置は、直方体をなす表示パネルの裏側に配置されるもので、複数本が縦に並置される円筒形をなすランプ１と、該ランプ１を収容支持し、且つ拡散板等の光学シート２の周縁部を支持する箱形をなす支持体３と、光学シート２の周縁部を支持体３の開放縁部に押圧して取付ける押圧体４と、支持体３の裏壁に沿って配置され、支持体３内に収容されているランプ１が発光した光を支持体３の開放側へ反射させる反射シート５とを備える。
【００３３】
ランプ１は両端部に電極を有する冷陰極管であり、支持体３内の両側に並設された凹形保持部に両端部が保持される。
【００３４】
支持体３は直方体をなし、表側が開放されている箱部３１と、該箱部３１の周壁内側に内嵌保持され、光学シート２の周縁部を支持するシート受部３２とを有する。箱部３１の開放側で、複数の周方向位置には、外側へ延出され、螺子孔３３ａを有する取付片３３が設けられている。具体的には、箱部３１の下部に２〜６個の取付片３３が横方向に離隔して設けられ、上部に２個の取付片３３が横方向に離隔して設けられている。
【００３５】
シート受部３２は、光学シート２の周縁部裏面に沿う扁平の支持面３２ａと、該支持面３２ａの外縁から立上がり、光学シート２の周縁と対向して該光学シート２の面に沿う方向への摺動を制限する制限部３２ｂとを有する。
【００３６】
反射シート５は、周縁部から立上がる立上り部５ａ及び該立上り部５ａの端から外方へ延出され、支持面３２ａと対向する鍔部５ｂを有し、該鍔部５ｂが支持面３２ａに接触している。
【００３７】
押圧体４は光学シート２の周縁部表面と対向する押圧部４１と、螺子孔３３ａに対応する挿通孔４２ａを有し、取付片３３に取付けられる取付部４２と、押圧部４１及び取付部４２を連結し雰囲気温度の上昇により収縮して変形する熱変形部４３とを備え、取付部４２が取付片３３に螺子止めされることにより押圧部４１が光学シート２を支持面３２ａに押圧している。押圧部４１及び取付部４２はポリカーボネート等の耐熱性を有する合成樹脂材を成形してなり、ランプ１の点灯により雰囲気温度が上昇しても殆ど変形しないように構成されている。熱変形部４３は、形状記憶合金、バイメタル等の熱変形材で形成してあり、雰囲気温度の上昇により収縮し、図２及び図３に示すように押圧部４１を光学シート２の周縁部と離隔する方向へ変位させるようになしてある。
【００３８】
光学シート２は反射偏光板２１、プリズムシート２２、拡散シート２３、拡散板２４等が積層されており、表示パネルに対応する大きさの直方体をなし、周縁部裏面が反射シート５の鍔部５ｂに接触している。
【００３９】
以上のように構成された光源装置は、開放縁が上向となるように作業台に載置された支持体３内に反射シート５及びランプ１を組み込んだ後、光学シート２の拡散板２４、拡散シート２３、プリズムシート２２及び反射偏光板２１を順次支持体３の支持面３３ａに載置して支持する。次に、支持体３の下部の取付片３３及び上部の取付片３３に押圧体４の取付部４２を、該取付部４２の挿通孔４２ａに挿通する雄螺子６を螺子孔３３ａに緊締することにより取付ける。この場合、支持体３の下部に配置される押圧体４は押圧部４１を光学シート２の表面に接触させ、光学シート２を押圧し、該光学シート２が面方向へ摺動するのを規制し、また、支持体３の上部に配置される押圧体４は押圧部４１が光学シート２の表面に接触するかしない程度にする。即ち、光源装置が輸送されるときは、光学シートが上側となるように横置きにして輸送されるため、支持体３の一側部で光学シート２を押圧することにより、振動による光学シート２の摺動を規制することができ、また、光学シート２が表側となるように縦置きして使用されるとき、光学シート２の自重が支持体３の下部に加わり、支持体３の下部で光学シート２を受止めるため、支持体３の下部に押圧体４を配置し、支持体３の上部は光学シート２を押圧する必要がない。
【００４０】
このように組立てられた光源装置は、押圧体４が光学シート２を押圧しているため、輸送時の振動で光学シート２が摺動するのを規制することができ、光学シート２が傷付くのを防ぐことができる。また、光源装置のランプ１が点灯し、雰囲気温度が上昇して光学シート２が熱膨張するとき、押圧体４の熱変形部４３が熱収縮し、押圧部４１が光学シート２と離隔する方向へ変位し、光学シート２を押圧する力が弱小になるため、熱膨張する光学シート２をシート面に沿う方向へ摺動させることができ、光学シート２にシワ、シミが発生するのを防ぐことができる。
【００４１】
実施の形態２
図４は本発明に係る光源装置が表示装置に組込まれた他の構成を示す断面図、図５は押圧体部分の拡大図、図６は押圧体が熱変形した状態を示す断面図、図７は熱変形した押圧体部分の拡大図である。
【００４２】
この光源装置は、押圧部４１及び取付部４２を熱変形部４３が連結する押圧体４を備える代わりに、熱変形材で形成され、光学シート２を押圧する熱変形部４４及び該熱変形部４４を取付片３３に取付ける取付部４５を有する押圧体４を備える構成としたものである。
【００４３】
熱変形部４４は、光学シート２の外周部表面に接触する接触板部４４ａと、該接触板部４４ａの一側から板厚方向へ変位しつつ外方へ延出された結合部４４ｂとを有し、該結合部４４ｂが取付部４５に結合されている。
【００４４】
取付部４５は取付片３３と対向し、挿通孔４２ａが開設されている取付板部４５ａと、該取付板部４５ａの一側から光学シート２の厚さ方向へ立上がる立上板部４５ｂ及び該立上板部４５ｂの端から光学シート２の表面に沿う方向へ延出されている結合板部４５ｃとを有し、該結合板部４５ｃに接触板部４４ａが結合されており、雰囲気温度の上昇により熱変形部４４が光学シート２の周縁部表面と離隔する方向へ収縮するようになしてある。
【００４５】
この光源装置にあっては、押圧体４の熱変形部４４が光学シート２の周縁部表面を押圧しているため、輸送時の振動により光学シート２が摺動するのを防ぐことができる。また、ランプ１の点灯により雰囲気温度が上昇して光学シート２が熱膨張するとき、該光学シート２を押圧している熱変形部４４が光学シート２と離隔する側へ熱収縮し、光学シート２を押圧する力が弱小になるため、熱膨張する光学シート２をシート面に沿う方向へ摺動させることができ、光学シート２にシワ、シミが発生するのを防ぐことができる。
その他の構成及び作用は実施の形態１と同様であるため、同様の部品については同じ符号を付し、その詳細な説明及び作用効果の説明を省略する。
【００４６】
実施の形態３
図８は本発明に係る光源装置が表示装置に組込まれた他の構成を示す断面図、図９は押圧体部分の拡大図、図１０は押圧体が熱変形した状態を示す断面図、図１１は熱変形した押圧体部分の拡大図である。
【００４７】
この光源装置は、押圧体４の一部が熱変形材で形成してある代わりに、支持体の制限部３２ｂを熱変形材で形成し、該制限部３２ｂが熱膨張することにより押圧体が押圧する力を弱小にするように構成したものである。
【００４８】
押圧体４は、光学シート２を押圧する押圧部４６と、該押圧部４６を取付片３３に取付ける取付部４７とを有する合成樹脂製であり、押圧部４６及び取付部４７の境界に、雰囲気温度が上昇し、制限部３２ｂが膨張したとき該制限部３２ｂの先端が当接する当接部４８と、該当接部４８の近傍を支点として押圧部４６を光学シート２の周縁部と離隔する方向へ変位させる薄肉のヒンジ部４９とを設けてある。取付部４７には螺子孔３３ａに対応する挿通孔が開設されている。
【００４９】
取付部４７は取付片３３と対向し、挿通孔が開設されている取付板部４７ａと、該取付板部４７ａの一側から光学シート２の厚さ方向へ立上がる立上板部４７ｂを有し、該立上板部４７ｂに押圧部４６が連なっている。
熱変形部としての制限部３２ｂは支持面３２ａの外縁に取着されている。
【００５０】
この光源装置にあっては、押圧体４の剛性を、熱変形部を有する図１及び図４に示す押圧体４に比べて高くすることができるため、光学シート２を押圧する力を、図１及び図４に示す構成に比べて強くすることができる。また、ランプ１の点灯により雰囲気温度が上昇して光学シート２が熱膨張するとき、制限部３２ｂが熱膨張する。この熱膨張により制限部３２ｂの先端が当接部４８に当接し、ヒンジ部４９が撓みつつ押圧部４６が光学シート２と離隔する方向へ変位し、光学シート２を押圧する力が弱小になるため、熱膨張する光学シート２をシート面に沿う方向へ摺動させることができ、光学シート２にシワ、シミが発生するのを防ぐことができる。
その他の構成及び作用は実施の形態１、２と同様であるため、同様の部品については同じ符号を付し、その詳細な説明及び作用効果の説明を省略する。
【００５１】
以上のように構成された光源装置は、図１、図４、図８に示すように液晶表示装置等の表示装置の光源として使用される。
【００５２】
この表示装置はテレビ画像を表示する表示パネル７と、該表示パネル７の裏側に配置された光源装置Ａと、該光源装置Ａのランプ１及び表示パネル７の間に配置された光学シート２と、表示パネル７の周縁部を取囲む四角形をなすフロントキャビネットと、光源装置Ａを覆うバックキャビネットとを備える液晶テレビ、換言すれば液晶表示装置である。
【００５３】
表示パネル７は、前側に画像表示面を有し直方体をなすパネル本体７１と、該パネル本体７１の周縁部を挟んで保持した四角形をなす内外の保持枠体７２，７３とを備え、複数のボルトにより保持枠体７２，７３が支持体３に取着されている。また、内側の保持枠体７２の裏面には押圧体４及び表示パネル７間の隙間を低減する可撓帯体８が設けられ、押圧体４の押圧部が光学シート２と離隔するときの力により撓むように構成されている。
【００５４】
このように構成された表示装置は、光学シート２を光源装置Ａに組み込んだ後、表示パネル７を光学シート２上に載置し、表示パネル７の保持枠体７２，７３を複数のボルトにより支持体３に取着し、スタンド、フロントキャビネット、バックキャビネット等を取着する。
【００５５】
図１２は本発明に係る表示装置の他の構成を示す断面図である。この表示装置は、押圧体４を支持体３に取付ける代わりに、表示パネル７の内側の保持枠体７２の裏面に、熱変形材で形成され、光学シート２を押圧する押圧体４を取付けたものである。押圧体４は全体が熱変形材で形成されている。
【００５６】
この表示装置にあっては、押圧体４が光学シート２の周縁部表面を押圧しているため、輸送時の振動により光学シート２が摺動するのを防ぐことができる。また、ランプ１の点灯により雰囲気温度が上昇して光学シート２が熱膨張するとき、押圧体４が光学シート２と離隔する側へ熱収縮し、光学シート２を押圧する力が弱小になるため、熱膨張する光学シート２をシート面に沿う方向へ摺動させることができ、光学シート２にシワ、シミが発生するのを防ぐことができる。
その他の構成及び作用は上述した実施の形態と同様であるため、同様の部品については同じ符号を付し、その詳細な説明及び作用効果の説明を省略する。
【００５７】
尚、以上説明した実施の形態では支持体３の下部及び上部に複数の押圧体４を配置した構成について説明したが、その他、支持体３の下部に配置する押圧体４は支持体３の下部のほぼ全長に対応する長さとし、１個としてもよい。また、押圧体４は支持体３の下部、上部及び両側部に配置する構成としてもよい。
【図面の簡単な説明】
【００５８】
【図１】本発明に係る光源装置が表示装置に組込まれた構成を示す断面図である。
【図２】押圧体が熱変形した状態を示す断面図である。
【図３】熱変形した押圧体部分の拡大図である。
【図４】本発明に係る光源装置が表示装置に組込まれた他の構成を示す断面図である。
【図５】押圧体部分の拡大図である。
【図６】押圧体が熱変形した状態を示す断面図である。
【図７】熱変形した押圧体部分の拡大図である。
【図８】本発明に係る光源装置が表示装置に組込まれた他の構成を示す断面図である。
【図９】押圧体部分の拡大図である。
【図１０】押圧体が熱変形した状態を示す断面図である。
【図１１】熱変形した押圧体部分の拡大図である。
【図１２】本発明に係る表示装置の他の構成を示す断面図である。
【図１３】従来の光源装置が表示装置に組込まれた構成を示す断面図である。
【符号の説明】
【００５９】
１    ランプ
２    光学シート
３    支持体
３２ｂ  制限部（熱変形部）
４    押圧体
４１  押圧部
４２，４５，４７  取付部
４３，４４  熱変形部
７    表示パネル
Ａ    光源装置
【図１】
2008058709.tif 000003
【図２】
2008058709.tif 000004
【図３】
2008058709.tif 000005
【図４】
2008058709.tif 000006
【図５】
2008058709.tif 000007
【図６】
2008058709.tif 000008
【図７】
2008058709.tif 000009
【図８】
2008058709.tif 000010
【図９】
2008058709.tif 000011
【図１０】
2008058709.tif 000012
【図１１】
2008058709.tif 000013
【図１２】
2008058709.tif 000014
【図１３】
2008058709.tif 000015